(57)【要約】  モジュール式電子デバイスをシャーシから取り外す装置及びそれを組み立てる方法が提供される。モジュール式電子デバイスをシャーシから取り外す装置は、シャーシに旋回的に連結されるドアと、ドアと摺動可能に係合する摺動要素と、ドアに連結され且つドアと同時に動くように構成される第１の排出アクチュエータと、第２の排出アクチュエータに並びにシャーシの後方に接続されるバネ部材を含む第２の排出アクチュエータと、摺動要素を第２の排出アクチュエータと接続するリンク要素とを含む。加えて、モジュール式電子デバイスをシャーシから取り外す装置は、シャーシ筐体に沿ってモジュール式電子デバイスを案内し且つ第２の排出アクチュエータを案内するよう、シャーシ筐体内に配置されるガイドレールを含む。
2016526296.tif 000002
【特許請求の範囲】
【請求項１】
モジュール式電子デバイスをシャーシから取り外す装置であって、
シャーシ筐体の前方で前記シャーシに旋回的に連結されるドアであって、前記シャーシ筐体は前記モジュール式電子デバイスを取り囲むように構成される、ドアと、
該ドアと摺動可能に係合する摺動要素であって、該ドアに沿って動くように構成される、摺動要素と、
前記ドアに連結される第１の排出アクチュエータであって、前記ドアと同時に動くように構成される、第１の排出アクチュエータと、
前記シャーシ筐体の後方に配置される第２の排出アクチュエータであって、バネ部材を含み、該バネ部材は、第１のバネ部材端と、第２のバネ部材端とを有し、前記第１のバネ部材端は、前記第２の排出アクチュエータに接続され、前記第２のバネ部材端は、前記シャーシの後方に接続される、第２の排出アクチュエータと、
第１のリンク要素端と、第２のリンク要素端とを有する、リンク要素であって、前記第１のリンク要素端によって前記摺動要素に接続され、前記第２のリンク要素端によって前記第２の排出アクチュエータに接続され、前記シャーシへの前記ドアの旋回的な連結の地点を通過する、リンク要素とを含む、
装置。
【請求項２】
前記ドアは、閉塞位置と開放位置との間で回転するように構成され、前記閉塞位置において、前記ドアは、前記シャーシ筐体を覆って、前記モジュール式電子デバイスが前記シャーシから取り外されるのを防止し、前記開放位置において、前記ドアは、前記シャーシからの前記モジュール式電子デバイスの取外しを可能にする、請求項１に記載の装置。
【請求項３】
前記第１の排出アクチュエータは、前記シャーシに沿って動いて、前記ドアの回転中に、前記モジュール式電子デバイスを前記シャーシから分離させるように構成される、請求項２に記載の装置。
【請求項４】
前記第１の排出アクチュエータは、排出レバーと、作動要素と、接続要素とを含み、該接続要素は、前記排出レバーと前記作動要素とを連結する、請求項１に記載の装置。
【請求項５】
前記排出レバーの長さは、前記モジュール式電子デバイスの排出の力を調整するよう可変である、請求項４に記載の装置。
【請求項６】
前記第２の排出アクチュエータは、前記シャーシ筐体に沿って動いて、前記モジュール式電子デバイスを前記シャーシから取り外すように構成される、請求項１に記載の装置。
【請求項７】
前記モジュール式電子デバイスを案内するよう前記シャーシ筐体内に配置される少なくとも１つのガイドレールを更に含み、該少なくとも１つのガイドレールは、前記シャーシ筐体の開口の辺りから前記シャーシ筐体の後方まで延びる、請求項１に記載の装置。
【請求項８】
前記第２の排出アクチュエータは、前記ガイドレールに沿って動くように構成される、請求項７に記載の装置。
【請求項９】
前記バネ部材は、前記第２の排出アクチュエータを前記シャーシ筐体内の初期位置に復帰させるように構成される、請求項１に記載の装置。
【請求項１０】
前記第２の排出アクチュエータは、角ブラケットを含む、請求項１に記載の装置。
【請求項１１】
前記第２の排出アクチュエータは、前記モジュール式電子デバイスの完全な又は不完全な挿入又は取外しを使用者に警報するように構成される少なくとも１つの感知手段に電子的に連結される、請求項１に記載の装置。
【請求項１２】
前記警報は、前記シャーシと関連付けられる１つ又はそれよりも多くの発光ダイオード（ＬＥＤ）によって促進される、請求項１１に記載の装置。
【請求項１３】
前記摺動要素は、前記ドアを前記シャーシとの係合位置において係止するように構成される係止部材を含む、請求項１に記載の装置。
【請求項１４】
前記係止部材は、ラッチを含む、請求項１３に記載の装置。
【請求項１５】
前記モジュール式電子デバイスは、ハードディスクドライブ（ＨＤＤ）、ソリッドステートディスク（ＳＳＤ）、ディスクアレイ、コンパクトディスク、及びフラッシュメモリモジュールを含む、請求項１に記載の装置。
【請求項１６】
モジュール式電子デバイスをシャーシから取り外す装置を組み立てる方法であって、
摺動要素をドアと摺動可能に係合させること、
前記ドアを第１の排出アクチュエータと連結させること、
前記モジュール式電子デバイスを取り囲むように構成されるシャーシ筐体の前方で前記ドアを前記シャーシに旋回的に連結させること、
第２の排出アクチュエータを前記シャーシ筐体の後方に配置すること、
第１のバネ部材端と第２の部材端とを有するバネ部材を、前記第１のバネ部材端によって前記第２の排出アクチュエータに接続し、前記第２のバネ部材端によって前記シャーシの後方に接続すること、
第１のリンク要素端と第２のリンク要素端とを有するリンク要素を、前記第１のリンク要素端によって前記摺動要素に接続し、前記第２のリンク要素端によって前記第２の排出アクチュエータに接続すること、及び
前記リンク要素を前記シャーシへの前記ドアの旋回的な連結の地点を通じて置くことを含む、
方法。
【請求項１７】
前記モジュール式電子デバイスを案内するよう、少なくとも１つのガイドレールを前記シャーシ筐体内に配置することを更に含む、請求項１６に記載の方法。
【請求項１８】
前記モジュール式電子デバイスの排出の力を調整するよう、前記排出レバーの長さを変化させることを更に含む、請求項１６に記載の方法。
【請求項１９】
前記モジュール式電子デバイスの完全な又は不完全な挿入又は取外しを使用者に警報するように構成される少なくとも１つの感知手段に前記第２の排出アクチュエータを電子的に連結させることを更に含む、請求項１６に記載の方法。
【請求項２０】
モジュール式電子デバイスをシャーシから取り外す装置であって、
シャーシ筐体の前方で前記シャーシに旋回的に連結されるドアを含み、前記シャーシ筐体は、前記モジュール式電子デバイスを取り囲むように構成され、
前記ドアは、閉塞位置と開放位置との間で回転するように構成され、前記閉塞位置において、前記ドアは前記シャーシ筐体を覆って、前記モジュール式電子デバイスが前記シャーシから取り外されるのを防止し、前記開放位置において、前記ドアは、前記シャーシからの前記モジュール式電子デバイスの取外しを可能にし、
当該装置は、前記ドアと摺動可能に係合する摺動要素を含み、該摺動要素は、前記ドアに沿って動くように構成され、
当該装置は、
前記シャーシとの係合位置を固定するように構成される係止部材と、
前記モジュール式電子デバイスを案内するよう前記シャーシ筐体内に配置される少なくとも１つのガイドレールであって、前記シャーシ筐体の開口の辺りから前記シャーシ筐体の後方まで延びる、少なくとも１つのガイドレールと、
前記ドアに連結される第１の排出アクチュエータであって、前記ドアと同時に動くように構成され、前記シャーシに沿って動いて前記ドアの回転中に前記モジュール式電子デバイスを前記シャーシから分離するように構成され、排出レバーと、作動要素と、接続要素とを含み、該接続要素は、前記排出レバーと前記作動要素とを連結する、第１の排出アクチュエータと、
前記シャーシ筐体の後方に配置される第２の排出アクチュエータであって、バネ部材を含み、該バネ部材は、第１のバネ部材端と、第２のバネ部材端とを有し、前記第１のバネ部材端は、前記第２の排出アクチュエータに接続され、前記第２のバネ部材端は、前記シャーシの後方に接続される、第２の排出アクチュエータとを含み、
前記バネ部材は、前記第２の排出アクチュエータを前記シャーシ筐体内の初期位置に復帰させるように構成され、
前記第２の排出アクチュエータは、角ブラケットを含み、
前記第２の排出アクチュエータは、前記少なくとも１つのガイドレールに沿って動いて前記モジュール式電子デバイスを前記シャーシから取り外すように構成され、
当該装置は、第１のリンク要素端と、第２のリンク要素端とを有する、リンク要素を含み、該リンク要素は、前記第１のリンク要素端によって前記摺動要素に接続され、前記第２のリンク要素端によって前記第２の排出アクチュエータに接続され、前記リンク要素は、前記シャーシへの前記ドアの旋回的な連結の地点を通過する、
装置。
【請求項２１】
モジュール式電子デバイスをシャーシから取り外す装置であって、
シャーシ筐体の前方で前記シャーシに旋回的に連結されるドアを含み、前記シャーシ筐体は、前記モジュール式電子デバイスを取り囲むように構成され、
前記ドアは、閉塞位置と開放位置との間で回転するように構成され、前記閉塞位置において、前記ドアは前記シャーシ筐体を覆って、前記モジュール式電子デバイスが前記シャーシから取り外されるのを防止し、前記開放位置において、前記ドアは、前記シャーシからの前記モジュール式電子デバイスの取外しを許容するように開き、
当該装置は、前記ドアと摺動可能に係合する摺動要素を含み、該摺動要素は、前記ドアに沿って動くように構成され、
当該装置は、
前記シャーシとの係合位置を固定するように構成される係止部材と、
前記モジュール式電子デバイスを案内するよう前記シャーシ筐体内に配置される少なくとも１つのガイドレールであって、前記シャーシ筐体の開口の辺りから前記シャーシ筐体の後方まで延びる、少なくとも１つのガイドレールと、
前記ドアに連結される第１の排出アクチュエータであって、前記ドアと実質的に同時に動くように構成され、前記ドアが回転すると前記シャーシに沿って動いて前記モジュール式電子デバイスを前記シャーシから分離するように構成され、排出レバーと、作動要素と、接続要素とを含み、該接続要素は、前記排出レバーと前記作動要素とを結合する、第１の排出アクチュエータと、
前記シャーシ筐体の後方に配置される第２の排出アクチュエータであって、バネ部材を含み、該バネ部材は、第１のバネ部材端と、第２のバネ部材端とを有し、前記第１のバネ部材端は、前記第２の排出アクチュエータに接続され、前記第２のバネ部材端は、前記シャーシの後方に接続される、第２の排出アクチュエータとを含み、
前記バネ部材は、前記第２の排出アクチュエータを前記シャーシ筐体内の初期位置に復帰させるように構成され、
前記第２の排出アクチュエータは、角ブラケットを含み、
前記第２の排出アクチュエータは、前記少なくとも１つのガイドレールに沿って動いて前記モジュール式電子デバイスを前記シャーシから取り外すように構成され、
当該装置は、第１のリンク要素端と、第２のリンク要素端とを有する、リンク要素を含み、該リンク要素は、前記第１のリンク要素端によって前記摺動要素に接続され、前記第２のリンク要素端によって前記第２の排出アクチュエータに接続され、前記リンク要素は、前記シャーシへの前記ドアの旋回的な連結の地点を通過し、
前記接続要素及び前記リンク要素は組み合わせられて単一のリンクになる、
装置。
【発明の詳細な説明】
【技術分野】
【０００１】
この開示は、一般的には、電子関連機器のシャーシ内にアセンブリを取り付ける構造に関し、より具体的には、モジュール式電子デバイスをシャーシから取り外す装置及びそれを組み立てる方法に関する。
【背景技術】
【０００２】
この段落に記載するアプローチは追求され得たが、それらは必ずしも以前に着想され或いは追求されたアプローチではない。従って、特段に示されない限り、この段落に記載するアプローチのいずれも、それらが単にこの段落に含められているという理由により、従来技術としての資格を与えられると想定されてはならない。
【０００３】
プロセッサ、ルータ、スイッチ、様々な周辺デバイス、記憶デバイス、及び同等物のような電子機器を、モジュール式に組み立てることがある。このアプローチは、事前に組み立てられたモジュールの様々な組み合わせを用いて電子機器を組み立てる製造を可能にすることがある。加えて、モジュール式に組み立てられた電子機器の使用者は、電子機器のモジュールを容易に交換したり或いは組み立て直したりし得るかもしれない。事前に組み立てられたモジュール式電子機器の例は、データ記憶デバイス、プリント回路基板、カーオーディオのようなオーディオ／ビデオ電子製品、及び任意の他の取り外し可能な電子デバイスを含む。
【０００４】
特に、データ記憶デバイスは、個人的な目的及び専門的な目的の両方で、情報を格納するために広く用いられる。データ記憶デバイスは、例えば、映画をかけたり、ファイルをメディアデバイスにコピーしたり或いはメディアデバイスからコピーしたり、写真を見たりするために電子機器に接続されるときの、一時的な使用、及び、例えば、記憶容量拡張及び機能強化のための、長期的な使用であってよい。典型的には、データ記憶デバイスは、機器筐体内でアライメント（整列）をもたらし且つデータ記憶デバイスの挿入又は取外しのための支承面としての役割を果たすようにネジで電子機器に取り付けられる、キャリアの使用を必要とする。モジュール式電子デバイスを取り付けるこの方法は、複雑で時間がかかることがある。それに加えて、モジュール式電子デバイスの動作によって引き起こされる振動はネジの緩みを引き起こすことがあり、結果的に、モジュール式電子デバイスの損傷を招くことがある。
【発明の概要】
【発明が解決しようとする課題】
【０００５】
既存のキャリア無し解決策は、主として、シャーシ内のモジュール式電子デバイスのアライメントの問題を解決することを試みる。しかしながら、電子デバイスのコネクタからのモジュール式電子デバイスの分離の問題、並びにモジュール式電子デバイスに適用される排出力の問題は、取り組まれていない。
【課題を解決するための手段】
【０００６】
この概要は、発明を実施する形態において以下に更に記載する一揃いの着想を簡略化された形態において伝えるために提供される。この概要は、請求する主題の鍵となる構成(features)又は本質的な構成を特定することを意図せず、請求する主題の範囲を決定することの助けとして用いられることも意図しない。
【０００７】
ここに記載する様々な実施態様及び原理によれば、従来技術の課題は、モジュール式電子デバイスをシャーシから取り外す装置及び該装置を組み立てる方法によって取り組まれる。
【０００８】
１つの特徴(aspects)によれば、モジュール式電子デバイスをシャーシから取り外す装置が提供される。本装置は、モジュール式電子デバイスを取り囲むように構成されるシャーシ筐体の前方においてシャーシに旋回的に連結されるドアを含んでよい。ドアを第１の排出アクチュエータに連結させてよい。本装置は、ドアと摺動可能に係合し且つドアに沿って動くように構成される摺動要素を更に含んでよい。シャーシ筐体の後方には、装置の第２の排出アクチュエータを配置してよい。第２の排出アクチュエータは、バネ部材を含んでよい。バネ部材を第２の排出アクチュエータに並びにシャーシの後方に接続してよい。本装置は、リンク要素を更に含んでよい。リンク要素を摺動要素に並びに第２の排出アクチュエータに接続してよく、リンク要素はシャーシへのドアの旋回的な連結の地点を通過してよい。本装置は、追加的に、モジュール式電子デバイスを案内するようシャーシ筐体内に配置される少なくとも１つのガイドレールを含んでよい。ガイドレールは、シャーシ筐体の開口の辺りからシャーシ筐体の後方まで延びてよい。
【０００９】
他の特徴によれば、モジュール式電子デバイスをシャーシから取り外す装置を組み立てる方法が提供される。本方法によれば、摺動要素をドアと摺動可能に係合させてよい。ドアを第１の排出アクチュエータに連結させてよい。更に、ドアをシャーシ筐体の前方でシャーシに旋回的に連結させてよい。本方法は、第２の排出アクチュエータをシャーシ筐体の後方に配置することと、バネ部材を第２の排出アクチュエータに並びにシャーシの後方に接続することとを更に含んでよい。リンク要素を用いて摺動要素と第２の排出アクチュエータとを接続してよい。シャーシへのドアの旋回的な連結の地点を通じてリンク要素を置いてよい。幾つかの実施態様において、本方法は、モジュール式電子デバイスを案内するよう、シャーシ筐体内に少なくとも１つのガイドレールを配置することを含んでよい。
【００１０】
前述のこと及び関連する目的を達成するために、１つ又はそれよりも多くの特徴(aspects)は、以下に十分に記載し且つ請求項で特に指摘する構成(features)を含む。以下の記載及び図面は、１つ又はそれよりも多くの特徴の特定の例示的な構成を詳細に示す。しかしながら、これらの構成は様々な特徴の原理を利用してよい様々な方法のほんの数例を示しており、この記載は全てのそのような特徴及びそれらの均等物を含むことを意図しない。
【図面の簡単な説明】
【００１１】
実施態様は、添付の図面の図において、限定としてではなく、一例として例示されており、図面において、同等の参照符号は、類似の要素を示している。
【００１２】
【図１】幾つかの例示的な実施態様に従った、モジュール式電子デバイスをシャーシから取り外す装置を示す図である。
【００１３】
【図２Ａ】幾つかの例示的な実施態様に従った、モジュール式電子デバイスをシャーシから取り外す装置を示す斜視図である。
【００１４】
【図２Ｂ】幾つかの例示的な実施態様に従った、モジュール式電子デバイスをシャーシから取り外す装置を示す斜視図である。
【００１５】
【図３】幾つかの例示的な実施態様に従った、モジュール式電子デバイスをシャーシから取り外す装置の組立てを示す図である。
【００１６】
【図４】幾つかの例示的な実施態様に従った、モジュール式電子デバイスをシャーシから取り外す装置を組み立てる方法を示すフローチャートである。
【００１７】
【図５Ａ】幾つかの例示的な実施態様に従った、シャーシ内へのモジュール式電子デバイスの挿入を示す図である。
【００１８】
【図５Ｂ】幾つかの例示的な実施態様に従った、シャーシからのモジュール式電子デバイスの取外しを示す図である。
【００１９】
【図６】幾つかの例示的な実施態様に従った、モジュール式電子デバイスをシャーシから取り外す装置を用いる方法を示すフローチャートである。
【発明を実施するための形態】
【００２０】
以下の詳細な記載は、詳細な記載の一部を形成する添付の図面の参照を含む。図面は、例示的な実施態様に従った例示を示している。これらの例示的な実施態様は、当業者が本主題を実施するのを可能にするよう十分に詳細に記載され、それらの実施態様を「実施例」とも呼ぶ。請求するものの範囲から逸脱せずに、実施態様を組み合わせてよく、他の実施態様を利用してよく、或いは構造的、論理的、及び電気的な変更を行い得る。従って、以下の詳細な記載は限定的な意味において理解されてはならず、その範囲は附属の請求項及びそれらの均等物によって定められる。
【００２１】
ここに開示するアプローチ及び原理は、モジュール式電子デバイスをシャーシから取り外す装置、及びモジュール式電子デバイスをシャーシから取り外す装置を組み立てる方法に関する。電子機器は、平行な側部で形成され且つシャーシから取り外し可能なモジュール式電子デバイス又は他のデバイスのための案内をもたらすように構成されるシャーシ筐体を定める、シャーシを備えてよい。シャーシは、複数のモジュール式電子デバイスを含んでよい。モジュール式電子デバイスの数及び大きさ並びに隣接するモジュール式電子デバイスの間の距離は、異なってよい。シャーシは、モジュール式電子デバイスの挿入のための開口を含んでよい。更に、シャーシは、モジュール式電子デバイスに電力を提供すること、モジュール式電子デバイスとデータを交換すること等のために、モジュール式電子デバイスをシャーシと連結するよう、シャーシ筐体の後方に少なくとも１つのコネクタを含んでよい。モジュール式電子デバイスと連結するようにコネクタを構成してよい。
【００２２】
シャーシ内へのモジュール式電子デバイスの挿入は、モジュール式電子デバイスをモジュール式電子デバイス用の開口の前方に位置付けること、及びモジュール式電子デバイスがシャーシの後方においてコネクタと連結するまでモジュール式電子デバイスをシャーシに沿って押すことで構成されてよい。シャーシからのモジュール式電子デバイスの取外しは、２つのステップを含んでよい、即ち、第１に、シャーシの後方においてモジュール式電子デバイスをコネクタから分離すること、そして、第２に、モジュール式電子デバイスをシャーシから排出することを含んでよい。
【００２３】
図１を参照して、モジュール式電子デバイスをシャーシから取り外す例示的な装置を例示する。図１は、幾つかの例示的な実施態様に従った、モジュール式電子デバイスをシャーシから取り外す装置１００の図面である。シャーシ１０５が、モジュール式電子デバイス１１５を取り囲むように構成されるシャーシ筐体１１０を定める。モジュール式電子デバイス１１５は、相当な振動に晒され、１つ又はそれよりも多くのの電源と、ネットワークアダプタと、記憶デバイスと、周辺デバイスと、モジュール式に組み立てられ得る同等のデバイスとを含んでよい。装置１００は、シャーシ筐体１１０の前方においてシャーシ１０５に旋回的に連結されるドア１２０を含んでよい。ドア１２０は、機械的な取付地点として並びにドア１２０と摺動可能に係合してドア１２０に沿って一次元に動くように構成される摺動要素１２５のためのガイドとして作用してよい。矢印１６０は、ドア１２０に沿って摺動要素１２５を動かす可能な方向の１つを示している。
【００２４】
ドア１２０を第１の排出アクチュエータ１６５に連結させてよい。ドア１２０と同時に動くように第１の排出アクチュエータ１６５を構成してよい。第１の排出アクチュエータ１６５は、排出レバー１７０と、作動用途１７５と、接続要素１８０とを含んでよい。様々な実施態様では、排出レバー１７０をドア１２０に対して所定の角度に位置付けてよい。作動要素１７５をシャーシ筐体１１０の後方に位置付けてよい。作動要素１７５の休止位置において、作動要素１７５は、シャーシ筐体１１０の後方においてモジュール式電子デバイス１１５の後ろに延びてよい。接続要素１８０は、排出レバー１７０と作動要素１７５とを連結する。接続要素１８０を剛的に或いは可撓に構成してよい。剛的な接続要素１８０を単一要素又はマルチリンク要素として構成してよい。可撓な接続要素１８０は、ファイバ、ストリング、釣糸、ワイヤ、及び同等物を含んでよい。
【００２５】
ドア１２０の移動が排出レバー１７０の移動を引き起こすよう、排出レバー１７０をドア１２０に連結してよい。排出レバー１７０の移動は、作動要素１７５の移動を引き起こしてよい。従って、図１で矢印１５５によって示す方向におけるドア１２０の動きは、シャーシ筐体１１０の後方からモジュール式電子デバイス１１５の取外し用の開口に向かう方向における作動要素１７５の動きを引き起こしてよい。作動要素１７５は、シャーシ筐体１１０に沿って動く間に、モジュール式電子デバイス１１５を押してよい。モジュール式電子デバイスを押すこと（即ち、モジュール式電子デバイス１１５に対して排出力を加えること）は、モジュール式電子デバイス１１５をシャーシ１０５と連結するシャーシ筐体１１０の後方においてコネクタ１５０からのモジュール式電子デバイス１１５の分離をもたらす。
【００２６】
第１の排出アクチュエータ１６５をモジュール式電子デバイス１１５の上に又は下に位置付けてよい。様々な実施態様では、第１の排出アクチュエータ１６５をモジュール式電子デバイス１１５からのいずれの側に位置付けてもよい。
【００２７】
排出レバー１７０の距離Ｌ２を変更すること、ドア１２０と排出レバー１７０との間の角度を変更すること、及び作動要素１７５の休止地点とモジュール式電子デバイス１１５の後方との間の距離Ｌ１を変更することによって、第１の排出アクチュエータ１６５に起因する作動要素１７５の移動の距離、並びにモジュール式電子デバイス及びドア１２０の相対的な動きを設定してよい。接続要素１８０の長さを変更することによって、距離Ｌ１を変更してよい。ドア１２０の長さ及び排出レバー１７０の長さを変更することによって、シャーシ１０５からモジュール式電子デバイス１１５を分離することの力増強(force  multiplier)を設定してよい。様々な実施態様では、モジュール式電子デバイス１１５の排出力を調整するよう、排出レバー１７０の長さＬ２は可変であってよい。
【００２８】
シャーシ筐体１１０の後方に配置される第２の排出アクチュエータ１３０に摺動要素１２５を連結してよい。リンク要素１３５を用いて、摺動要素１２５及び第２の排出アクチュエータ１３０を、剛的に又は可撓に、互いに連結してよい。リンク要素１３５は、第１のリンク要素端と、第２のリンク要素端とを有してよく、第１のリンク要素端によって、リンク要素１３５を摺動要素１２５に接続してよい。第２のリンク要素端によって、リンク要素１３５を第２の排出アクチュエータ１３０に接続してよい。様々な実施態様において、リンク要素１３５は、剛的でも可撓でもよい。剛的なリンク要素１３５を単一要素又はマルチリンク要素として構成してよい。可撓なリンク要素１３５は、シャーシ１０５に対するドア１２０の旋回的な連結の地点１４０を通過してよい。
【００２９】
装置１００は、任意的に、モジュール式電子デバイス１１５を案内する少なくとも１つのガイドレール１４５を含んでよい。ガイドレール１４５は、シャーシ筐体１１０の開口の辺りからシャーシ筐体１１０の後方まで延びてよい。シャーシ筐体１１０に沿って、任意的に、ガイドレール１４５に沿って動くように、第２の排出アクチュエータ１３０を構成してよい。好適な実施態様において、第２の排出アクチュエータ１３０は、角度付き構造を有してよい。具体的には、第２の排出アクチュエータ１３０を角ブラケットとして構成してよい。角度付き構造の故に、第２の排出アクチュエータ１３０は、シャーシ筐体１１０の後方からモジュール式電子デバイス１１５の挿入用の開口に向かって動く間に、モジュール式電子デバイス１１５を押してよい。モジュール式電子デバイス１１５を押すことは、開口に向かう方向においてシャーシ筐体１１０に沿って電子デバイス１１５を動かすこと、最終的には、シャーシ１０５からモジュール式電子デバイス１１５を挿入することを引き起こしてよい。
【００３０】
閉塞位置と開放位置との間で地点１４０の周りを回転するようにドア１２０を構成してよい。矢印１５５は、ドア１２０の回転の可能な方向の１つを示している。図２Ａ及び２Ｂを参照して、ドア１２０の閉塞位置及び開放位置を詳細に示す。
【００３１】
２つの排出アクチュエータ（即ち、第１の排出アクチュエータ１６５及び第２の排出アクチュエータ１３０）の存在（第１の排出アクチュエータ１６５は作動要素１７５を含む）に鑑みると、モジュール式電子デバイス１１５を分離するのに要する力は、モジュール式電子デバイス１１５の排出を完了するのに要する力と無関係であってよい。第２の排出アクチュエータ１３０の故に、モジュール式電子デバイス１１５が取り外されるのを可能にするのに十分な程までドア１２０が開放されるまで、モジュール式電子デバイス１１５の動きが起こらないように、モジュール式電子デバイス１１５及びドア１２０の相対的な動きを設定してよい。これは、モジュール式電子デバイス１１５の排出の間にモジュール式電子デバイス１１５によって引き起こされることがあるドア１２０の損傷を除去する。
【００３２】
様々な実施態様では、リンク要素及び接続要素を組み合わせて単一の可撓なリンクにしてよい。例えば、第２の排出アクチュエータ上のプーリ又はグロメットを通じて、並びに、例えば、排出レバー上のプーリ又はグロメットを通じてリンク要素を戻し、そして、リンク要素を接続要素に取り付けることによって、リンク要素及び接続要素を接続してよい。例えば、「螺旋プロファイル」カムアクチュエータを用いて、二重作用機構を可変な力／速度曲線を備える単一作用機構に統合してよい。加えて、ひいては、（作動要素１７５及び第２の排出アクチュエータ１３０を含む）一次及び二次作動アセンブリを組み合わせて単一の機構にすることができる。
【００３３】
図２Ａ及び２Ｂは、幾つかの例示的な実施態様に従った、モジュール式電子デバイスを取り外す装置の斜視図２００，２０５を示している。図２Ａ及び２Ｂは、互いに重なって取り付けられるモジュール式電子デバイスを取り外す２つの装置１００ａ，１００ｂを備える例示的な実施態様を示している。図２Ａ及び２Ｂの上方装置１００ａのドア１２０は、閉塞位置において示されている。閉塞位置において、ドア１２０は、シャーシ筐体１１０を機械的に覆って、モジュール式電子デバイス１１５を機械的に捕捉し、モジュール式電子デバイス１１５が分離して、例えば、シャーシから偶発的に取り外されるのを防止してよい。更に、閉塞位置にあるドア１２０は、シャーシからの電磁放射を防止することがある。図２Ａ及び２Ｂの上方装置１００ａの第１の排出アクチュエータ１６５は、作動要素１７５がシャーシ筐体１１０の後方においてモジュール式電子デバイス１１５の後ろに延びてよいときの休止位置において示されている。幾つかの実施態様では、モジュール式電子デバイスの寸法変動に順応するように装置１００ａ，１００ｂを構成してよい。この目的のために、モジュール式電子デバイスをシャーシに連結するコネクタ（図示せず）に対してモジュール式電子デバイスを押すために、例えば、シャーシの後方に又はシャーシの任意の他の側にバネ要素（図示せず）を取り付けてよい。
【００３４】
図２Ａ及び２Ｂの下方装置１００ｂのドア１２０は、開放位置において示されている。この位置において、ドア１２０は、シャーシからのモジュール式電子デバイスの取外しを可能にしてよい。図２Ａ及び２Ｂの下方装置１００ｂの第１の排出アクチュエータ１６５は、第２の排出アクチュエータ１３０をシャーシ筐体に沿ってモジュール式電子デバイスの挿入用の開口に向かって動かしてよい位置において示されている。
【００３５】
装置１００ａ，１００ｂの各々は、任意的に、ドア１２０をシャーシとの係合位置において係止するように構成される係止部材２１０を含んでよい。係止部材２１０は、ラッチ又は当業者に既知の任意の他の種類の適切な種類のロックを含んでよい。係止部材２１０は、シャーシからのモジュール式電子デバイスの権限のない取外しを防止してよい。更に、モジュール式電子デバイスがシャーシから取り外されたか或いは挿入し直されたか否かを示す不正開封防止シールとして係止部材２１０を構成してよい。
【００３６】
図２Ａ及び２Ｂの上方装置１００ａの摺動要素１２５は、摺動要素１２５の初期位置において示されている。この位置において、摺動要素１２５は、ドア１２０から延びない。図２Ａ及び２Ｂの下方装置１００ｂにおいて、摺動要素１２５は、ドア１２０から延びて、即ち、ドア１２０から引き出されて示されている。
【００３７】
図２Ａ及び２Ｂが示すように、第２の排出アクチュエータ１３０を角ブラケットとして構成してよく、第２の排出アクチュエータ１３０はモジュール式電子デバイスを押すプッシャ２１５を含んでよい。更に、第２の排出アクチュエータ１３０は、バネ部材２２０を含んでよい。バネ部材２２０は、第１のバネ部材端と、第２のバネ部材端とを有してよい。バネ部材２２０を、第１のバネ部材端によって第２の排出アクチュエータ１３０に接続し、第２のバネ部材端によってシャーシの後方に接続してよい。シャーシとのバネ部材２２０の接続に鑑みれば、第２の排出アクチュエータ１３０がシャーシに沿ってモジュール式電子デバイスの挿入用の開口に向かって動いた後に、第２の排出アクチュエータ１３０をシャーシ筐体１１０内の第２の排出アクチュエータ１３０の初期位置に戻すように、バネ部材２２０を構成してよい。
【００３８】
例示的な実施態様では、第２の排出アクチュエータ１３０を電気モータ（図示せず）で機械化してよい。加えて、第２の排出アクチュエータ１３０を、モジュール式電子デバイスの完全な又は不完全な挿入又は取外しを使用者に知らせる（警報する）ように構成される少なくとも１つの感知手段（図示せず）に電子的に連結してよい。シャーシと関連付けられる１つ又はそれよりも多くの発光ダイオード（ＬＥＤ）（図示せず）によって警報（アラート）を容易化してよい。任意的に、シャーシと関連付けられる音発生装置（図示せず）によって警報を容易化しもよい。任意的に、ＬＣＤディスプレイ（図示せず）のような任意の種類の出力デバイス上に又は任意の他の適切な出力デバイス上に警報を表示してよい。
【００３９】
図３は、幾つかの例示的な実施態様に従った、モジュール式電子デバイスをシャーシから取り外す装置を組み立てることの図式的表示を示している。互いに重なって取り付けられるモジュール式電子デバイスを取り外すための２つの装置を組み立てる例示的な実施態様が、図３に示されている。モジュール式電子デバイスをシャーシから取り外す装置を組み立てることは、摺動要素１２５をドア１２０と摺動可能に係合させることで開始してよい。少なくとも１つの接続部材３０５を用いて摺動要素１２５をドア１２０と連結してよい。この目的のために、ドア１２０は、少なくとも１つの開口３１０を有してよい。接続部材３０５を摺動要素１２５のないドア１２０の側から開口３１０の前方に位置付けてよい。少なくとも１つのファスナ３１５が接続部材３０５を通り抜け、開口３１０を通過し、摺動部材１２５内に入り、それにより、ドア１２０に沿う摺動要素１２０の摺動可能な動きを可能にしてよい。特定の実施態様では、ドア１２０内に直接的に挿入されるように摺動要素１２５を構成してよい。従って、摺動要素１２５をドア１２０と連結するのに接続部材が必要とされないことがある。
【００４０】
組み立てることは、ドア１２０を第１の排出アクチュエータ１６５と連結させることに進んでよい。この目的のために、ドア１２０を排出レバー１７０に接続してよい。様々な実施態様では、ドア１２０の動きに拘わらずドア１２０と第１の排出アクチュエータ１６５との間の角度が安定的であってよいように、ドア１２０と第１の排出アクチュエータ１６５との間の接続は剛的であってよい。排出レバー１７０を所定の角度でドア１２０に対して位置付けてよい。例示的な実施態様では、排出レバー１７０をドア１２０に対して垂直に位置付けてよい。接続要素１８０を用いて、排出レバー１７０を作動要素１７５と更に連結させてよい。
【００４１】
組み立てることは、摺動要素１２５と摺動可能に係合しているドア１２０を、シャーシ筐体（図示せず）の前方にあるシャーシ（図示せず）に旋回的に連結することに更に進んでよい。この目的のために、モジュール式電子デバイスの挿入用の開口（図示せず）で据え付けられる少なくとも１つの旋回軸３２０を用いて旋回的な連結を行ってよい。ドア１２０を軸３２０上に据え付けてよい。任意的に、少なくとも１つのガイドレール１４５をシャーシ筐体内に配置してよい。ガイドレール１４５はシャーシ筐体内でモジュール式電子デバイスを案内してよい。
【００４２】
ドア１２０をシャーシに連結した後、第２の排出アクチュエータ１３０をシャーシ筐体（図示せず）の後方に配置してよい。第２の排出アクチュエータ１３０をバネ部材２２０の第１の端に接続し、第２の端をシャーシ（図示せず）の後方に据え付けられる軸３２５に接続してよい。例示的な実施態様では、ガイドレール１４５に沿って動くように第２の排出アクチュエータ１３０を構成してよい。
【００４３】
更に、リンク要素１３５を用いて摺動要素１２０を第２の排出アクチュエータ１３０と連結してよい。この目的のために、第１のリンク要素端を摺動要素１２０に接続し、第２のリンク要素端を第２の排出アクチュエータ１３０に接続してよい。特定の実施態様では、リンク要素１３５を摺動要素１２０に接続される接続部材３０５に接続してよい。更なる実施態様では、リンク要素１３５を直接的に摺動要素１２０に接続してよい。リンク要素１３５が軸３２０を通過するように（即ち、シャーシへのドア１２０の旋回的な連結の地点を通じて）リンク要素１３５を置いてよい。
【００４４】
図４は、幾つかの実施態様に従った、モジュール式電子デバイスをシャーシから取り外す装置を組み立てる方法４００を例示するフローチャートである。方法４００は、摺動要素をドアと摺動可能に係合させた状態で、操作４０２で開始してよい。操作４０４で、ドアを第１の排出アクチュエータに連結させてよい。この目的のために、ドアを排出レバーと接続させ、接続要素を用いて排出レバーを第１の排出アクチュエータに連結させてよい。操作４０６で、ドアをシャーシ筐体の前方でシャーシに旋回的に連結させてよい。方法４００は、操作４０８でシャーシ筐体の後方に第２の排出アクチュエータを配置することに進んでよい。第２の排出アクチュエータを第１のバネ部材端と第２のバネ部材端とを有するバネ部材に接続してよく、操作４１０で第１のバネ部材端を第２の排出アクチュエータに接続し、第２のバネ部材端をシャーシの後方に接続してよい。操作４１２で、第１のリンク要素端と第２のリンク要素端とを有するリンク要素を、第１のリンク要素端によって摺動要素に接続し、第２のリンク要素端によって第２の排出アクチュエータに接続してよい。操作４１４で、シャーシへのドアの旋回的な連結の地点を通じてリンク要素を置いてよい。特定の任意的な操作において、モジュール式電子デバイスの排出の力を調整するよう、排出レバーの長さは可変であってよい。
【００４５】
方法４００は、任意的に、モジュール式電子デバイスを案内するよう、シャーシ筐体内に少なくとも１つのガイドレールを配置することに進んでよい。任意的な操作では、第２の排出アクチュエータをモジュール式電子デバイスの完全な又は不完全な挿入又は取外しを使用者に知らせる少なくとも１つの感知手段に電子的に連結してよい。更なる任意的な操作では、第２の排出アクチュエータを電気モータで機械化してよい。
【００４６】
図５Ａは、幾つかの例示的な実施態様に従った、シャーシ１０５内へのモジュール式電子デバイス１１５の挿入の図式的表示を示している。モジュール式電子デバイス１１５をシャーシ１０５内に挿入するために、モジュール式電子デバイスを取り外すための装置のドア１２０を開き、モジュール式電子デバイス１１５をシャーシ１０５の開口に挿入してよい。モジュール式電子デバイス１１５がシャーシ１０５内に完全に挿入されるまで、モジュール式電子デバイス１１５をシャーシ１０５の後方に向かう方向に押してよい。モジュール式電子デバイス１１５が挿入された後に、ドア１２０を、シャーシ１０５へのドア１２０の旋回的な連結の地点の周りで、ドア１２０がモジュール式電子デバイス１１５の挿入又は取外しを可能にするときの図５Ａに示す開放位置から、モジュール式電子デバイス１１５がシャーシ１０５から取り外されるのを防止するようドア１２０がシャーシ筐体を覆ってよいときの閉塞位置まで回転させてよい。例示的な実施態様では、係止部材（図示せず）を係止（ロック）して、ドア１２０をシャーシ１０５との係合位置において係止してよい。
【００４７】
図５Ｂは、幾つかの例示的な実施態様に従った、シャーシ１０５からのモジュール式電子デバイス１１５の取外しの図式的表示を示している。例示的な実施態様では、モジュール式電子デバイス１１５をシャーシ１０５から取り外すために、係止部材（図示せず）を解除（アンロック）して、ドア１２０をシャーシ１０５との係合位置から解除してよい。次に、ドア１２０を、シャーシ１０５へのドア１２０の旋回的な連結の地点の周りで、閉塞位置から、ドア１２０がシャーシ１０５からのモジュール式電子デバイス１１５の取外しを可能にしてよい開放位置まで回転させてよい。図５Ｂで、ドア１２０は開放位置において示されている。排出レバー（図示せず）及び接続要素（図示せず）を介して第１の排出アクチュエータ（図示せず）と連結させられるドア１２０の回転は、シャーシ筐体の後方からモジュール式電子デバイス１１５の挿入用の開口に向かう第１の排出アクチュエータの動きを引き起こしてよい。移動中、第１の排出アクチュエータは、シャーシ筐体内のモジュール式電子デバイス１１５をモジュール式電子デバイス１１５の挿入用の開口に向かう方向において押してよい。モジュール式電子デバイス１１５を押すことは、モジュール式電子デバイス１１５をシャーシ１０５と連結させるシャーシ筐体の後方にあるコネクタからのモジュール式電子デバイス１１５の分離を引き起こしてよい。その後、ドア１２０に沿う方向において、シャーシ筐体から離れる方向に、摺動要素１２５を引っ張ってよい。リンク要素（図示せず）を介して第２の排出アクチュエータ（図示せず）と連結される摺動要素１２５の動きは、第２の排出アクチュエータの動きを引き起こしてよい。移動中、第２の排出アクチュエータは、シャーシ筐体内のモジュール式電子デバイス１１５を、モジュール式電子デバイス１１５の取外し用の開口に向かう方向において押してよい。モジュール式電子デバイス１１５を押すことは、モジュール式電子デバイス１１５の取外し用の開口に向かう方向におけるシャーシ筐体に沿うモジュール式電子デバイス１１５の動きを引き起こしてよい。モジュール式電子デバイス１１５が、モジュール式電子デバイス１１５を取るのに十分な長さに亘ってシャーシから延び出るときに、モジュール式電子デバイス１１５を取ってシャーシ１０５から取り外してよい。モジュール式電子デバイスの排出後、摺動要素１２５を解放してよい。摺動要素１２５の解放後、バネ部材の１つの端によってシャーシの後方に接続されるバネ部材への第２の排出アクチュエータの接続を考慮して、バネ部材は、シャーシ筐体内の初期位置への第２の排出アクチュエータの復帰を可能にしてよい。
【００４８】
図６は、幾つかの実施態様に従った、モジュール式電子デバイスをシャーシから取り外す装置を使用する方法６００を例示するフローチャートである。方法６００は、任意的に、操作６０２で、ドアと摺動可能に係合する係止部材を動かして、ドアをシャーシとの係合位置から解除することで開始してよい。操作６０４で、ドアを、シャーシへのドアの旋回的な連結の地点の周りで、ドアがシャーシからのモジュール式電子デバイスの取外しを可能にするときの開放位置まで回転させてよい。第１の排出アクチュエータと連結されるドアの回転は、モジュール式電子デバイスの挿入用の開口に向かう方向におけるシャーシに沿う第１の排出アクチュエータの動きを引き起こしてよい。第１の排出アクチュエータは、移動中、モジュール式電子デバイスを第１の排出アクチュエータの動きの方向において押し、シャーシからのモジュール式電子デバイスの取外しをもたらしてよい。方法６００は、ドアに沿ってシャーシ筐体から離れる方向において摺動要素を摺動させること（即ち、モジュール式電子デバイスを取り外している人に向かう方向において摺動要素を押すこと）で開始してよい。操作６０８で、摺動要素をドアに沿って引っ張る力を調整することによって、モジュール式電子デバイスの排出力を任意的に調整してよい。摺動要素を引っ張る力が高ければ高いほど、シャーシからのモジュール式電子デバイスの排出力は高い。リンク要素を用いて第２の排出アクチュエータと連結される摺動要素を引っ張ることは、モジュール式電子デバイスの挿入用の開口に向かう方向におけるシャーシに沿う第２の排出アクチュエータの動きを引き起こしてよい。第２の排出アクチュエータは、移動中、モジュール式電子デバイスを第２の排出アクチュエータの動きの方向において押して、シャーシからのモジュール式電子デバイスの排出をもたらしてよい。操作６１０で、摺動要素を解放してよい。摺動要素を解放することは、第２の排出アクチュエータ及びシャーシの後方に接続されるバネ部材を用いた、シャーシ筐体内の第２の排出アクチュエータの初期位置への第２の排出アクチュエータの復帰をもたらしてよい。
【００４９】
このように、モジュール式電子デバイスをシャーシから取り外す装置及びモジュール式電子デバイスをシャーシから取り外す装置を組み立てる方法を開示している。特定の例示的な実施態様を参照して実施態様を記載したが、これらの例示的な実施態様に様々な修正及び変更を本出願のより広い精神及び範囲から逸脱せずに行い得ることが明らかであろう。従って、本明細書及び図面は、限定的な意味よりも例示的な意味において考えられるべきである。
【図１】
2016526296.tif 000003
【図２Ａ】
2016526296.tif 000004
【図２Ｂ】
2016526296.tif 000005
【図３】
2016526296.tif 000006
【図４】
2016526296.tif 000007
【図５Ａ】
2016526296.tif 000008
【図５Ｂ】
2016526296.tif 000009
【図６】
2016526296.tif 000010
【国際調査報告】
2016526296.tif 000011